(57)【要約】【課題】  像担持体に与えるダメージの低減が図られたブラシを用いたクリーニング機構、および、このクリーニング機構を備えた画像形成装置を提供する。【解決手段】  像担持体表面に形成したトナー像を該被転写面に転写した後の該像担持体表面に残留した残留トナーを除去するクリーニング機構において、毛部を有し毛部先端が、トナー像を被転写面に転写した後の像担持体表面に対して接離自在なものであって、表面に残留した残留トナーを、表面に毛部先端を接触させておくことで表面から除去する交換自在のブラシと、毛部先端が像担持体表面から離間したブラシに接触し、毛部先端の剛性を弱めるブラシ馴らし手段とを備えた。【選択図】        図３
2006154323.tif 000002
【特許請求の範囲】
【請求項１】
像担持体表面に形成したトナー像を、所定の被転写面に転写し最終的に記録媒体に定着させることで該記録媒体上に画像を形成する画像形成装置に備えられ、該像担持体表面に形成したトナー像を該被転写面に転写した後の該像担持体表面に残留した残留トナーを除去するクリーニング機構において、
毛部を有し該毛部先端が、前記トナー像を前記被転写面に転写した後の像担持体表面に対して接離自在なものであって、該表面に残留した残留トナーを、該表面に該毛部先端を接触させておくことで該表面から除去する交換自在のブラシと、
該毛部先端が前記像担持体表面から離間した前記ブラシに接触し、該毛部先端の剛性を弱めるブラシ馴らし手段とを備えたものであることを特徴とするクリーニング機構。
【請求項２】
像担持体表面に形成したトナー像を、所定の被転写面に転写し最終的に記録媒体に定着させることで該記録媒体上に画像を形成する画像形成装置に備えられ、該像担持体表面に形成したトナー像を該被転写面に転写した後の該像担持体表面に残留した残留トナーを除去するクリーニング機構において、
毛部を有し該毛部先端が、前記トナー像を前記被転写面に転写した後の像担持体表面に対して接離自在なものであって、該表面に残留した残留トナーを、該表面に該毛部先端を接触させておくことで該表面から除去する交換自在のブラシと、
該毛部先端が前記像担持体表面から離間した前記ブラシに潤滑剤を供給する潤滑剤供給手段とを備えたものであることを特徴とするクリーニング機構。
【請求項３】
像担持体表面に形成したトナー像を最終的に記録媒体に転写および定着させることで該記録媒体上に画像を形成する画像形成装置において、
前記像担持体表面に形成したトナー像を該被転写面に転写した後の該像担持体表面に残留した残留トナーを除去するクリーニング機構を備え、
前記クリーニング機構が、
毛部を有し該毛部先端が、前記トナー像を前記被転写面に転写した後の像担持体表面に対して接離自在なものであって、該表面に残留した残留トナーを、該表面に該毛部先端を接触させておくことで該表面から除去する交換自在のブラシと、
該毛部先端が前記像担持体表面から離間した前記ブラシに接触し、該毛部先端の剛性を弱めるブラシ馴らし手段とを備えたものであることを特徴とする画像形成装置。
【請求項４】
像担持体表面に形成したトナー像を最終的に記録媒体に転写および定着させることで該記録媒体上に画像を形成する画像形成装置において、
前記像担持体表面に形成したトナー像を該被転写面に転写した後の該像担持体表面に残留した残留トナーを除去するクリーニング機構を備え、
前記クリーニング機構が、
毛部を有し該毛部先端が、前記トナー像を前記被転写面に転写した後の像担持体表面に対して接離自在なものであって、該表面に残留した残留トナーを、該表面に該毛部先端を接触させておくことで該表面から除去する交換自在のブラシと、
該毛部先端が前記像担持体表面から離間した前記ブラシに潤滑剤を供給する潤滑剤供給手段とを備えたものであることを特徴とする画像形成装置。
【請求項５】
前記クリーニング機構が、寿命枚数により定期的に交換される脱着可能な中間転写ロールユニットに備えられたものであることを特徴とする請求項３記載の画像形成装置。
【請求項６】
前記クリーニング機構が、寿命枚数により定期的に交換される脱着可能な中間転写ロールユニットに備えられたものであることを特徴とする請求項４記載の画像形成装置。
【発明の詳細な説明】
【技術分野】
【０００１】
本発明は、トナー像を担持する像担持体のクリーニングを行うクリーニング機構、および、このクリーニング機構を備えた画像形成装置に関する。
【背景技術】
【０００２】
従来より、像担持体である感光体表面に形成したトナー像が記録媒体に転写された後の感光体表面の転写残トナーや、この感光体表面のトナー像が一次転写された、同じく像担持体である中間転写体から記録媒体への二次転写がなされた後のこの中間転写体表面の転写残トナーをブラシでクリーニングするクリーニング機構が知られている（例えば、特許文献１参照）。
【０００３】
このようなクリーニング機構では、ブラシを感光体の表面や中間転写体の表面に付着した転写残トナーに接触させブラシの毛部でふき取ることでこれを除去している。
【特許文献１】特開２００４−２７１６０３号公報
【発明の開示】
【発明が解決しようとする課題】
【０００４】
この様なブラシを用いるクリーニング機構では、感光体や中間転写体などの像担持体表面の、転写残トナーの付着していない部分においては、ブラシの毛部がその部分に直接接触する。ブラシの毛部が直接接触すると、特にブラシが新品の場合には、直接接触した部分に毛部先端が突き刺さり、その部分に打痕が生じてしまうことがあり、これにより画像品質が低下するおそれがある。
【０００５】
本発明は、上記事情に鑑み、像担持体に与えるダメージの低減が図られたブラシを用いたクリーニング機構、および、このクリーニング機構を備えた画像形成装置を提供することを目的とする。
【課題を解決するための手段】
【０００６】
上記目的を達成するための本発明のクリーニング機構のうちの第１のクリーニング機構は、
像担持体表面に形成したトナー像を、所定の被転写面に転写し最終的に記録媒体に定着させることでこの記録媒体上に画像を形成する画像形成装置に備えられ、この像担持体表面に形成したトナー像をこの被転写面に転写した後のこの像担持体表面に残留した残留トナーを除去するクリーニング機構において、
毛部を有しこの毛部先端が、上記トナー像を上記被転写面に転写した後の像担持体表面に対して接離自在なものであって、この表面に残留した残留トナーを、この表面にこの毛部先端を接触させておくことでこの表面から除去する交換自在のブラシと、
この毛部先端が上記像担持体表面から離間した上記ブラシに接触し、この毛部先端の剛性を弱めるブラシ馴らし手段とを備えたものであることを特徴とする。
【０００７】
本発明の第１のクリーニング機構には、像担持体表面から離間したブラシの毛部先端に接触することでブラシの毛部先端の剛性を弱めるブラシ馴らし手段が備えられている。したがって、本発明の第１のクリーニング機構によれば、ブラシの毛部先端が像担持体表面に接触する際の毛部先端の、いわゆる先端力を弱めることができ、毛部先端の突き刺さりを抑制して、像担持体に与えるダメージの低減を図ることができる。
【０００８】
上記目的を達成するための本発明のクリーニング機構のうちの第２のクリーニング機構は、
像担持体表面に形成したトナー像を、所定の被転写面に転写し最終的に記録媒体に定着させることでこの記録媒体上に画像を形成する画像形成装置に備えられ、この像担持体表面に形成したトナー像をこの被転写面に転写した後のこの像担持体表面に残留した残留トナーを除去するクリーニング機構において、
毛部を有しこの毛部先端が、上記トナー像を上記被転写面に転写した後の像担持体表面に対して接離自在なものであって、この表面に残留した残留トナーを、この表面にこの毛部先端を接触させておくことでこの表面から除去する交換自在のブラシと、
この毛部先端が上記像担持体表面から離間した上記ブラシに潤滑剤を供給する潤滑剤供給手段とを備えたものであることを特徴とする。
【０００９】
本発明の第２のクリーニング機構では、像担持体表面から離間したブラシに対し潤滑剤が供給される。したがって、本発明の第２のクリーニング機構によれば、ブラシと像担持体表面との間に滑り効果を発生させることができる。したがって、本発明の第２のクリーニング機構によれば、ブラシを像担持体の表面に接触させる際の突き刺さりを抑制することができ、これにより像担持体へのダメージの低減を図ることができる。
【００１０】
上記目的を達成するための本発明の画像形成装置のうちの第１の画像形成装置は、
像担持体表面に形成したトナー像を最終的に記録媒体に転写および定着させることでこの記録媒体上に画像を形成する画像形成装置において、
上記像担持体表面に形成したトナー像をこの被転写面に転写した後のこの像担持体表面に残留した残留トナーを除去するクリーニング機構を備え、
上記クリーニング機構が、
毛部を有しこの毛部先端が、上記トナー像を上記被転写面に転写した後の像担持体表面に対して接離自在なものであって、この表面に残留した残留トナーを、この表面にこの毛部先端を接触させておくことでこの表面から除去する交換自在のブラシと、
この毛部先端が上記像担持体表面から離間した上記ブラシに接触し、この毛部先端の剛性を弱めるブラシ馴らし手段とを備えたものであることを特徴とする。
【００１１】
ここで、上記クリーニング機構が、寿命枚数により定期的に交換される脱着可能な中間転写ロールユニットに備えられたものであってもよい。
【００１２】
このようにすると、クリーニング機構のメンテナンスについての手間が軽減され便利である。
【００１３】
上記目的を達成するための本発明の画像形成装置のうちの第２の画像形成装置は、
像担持体表面に形成したトナー像を最終的に記録媒体に転写および定着させることでこの記録媒体上に画像を形成する画像形成装置において、
上記像担持体表面に形成したトナー像をこの被転写面に転写した後のこの像担持体表面に残留した残留トナーを除去するクリーニング機構を備え、
上記クリーニング機構が、
毛部を有しこの毛部先端が、上記トナー像を上記被転写面に転写した後の像担持体表面に対して接離自在なものであって、この表面に残留した残留トナーを、この表面にこの毛部先端を接触させておくことでこの表面から除去する交換自在のブラシと、
この毛部先端が上記像担持体表面から離間した上記ブラシに潤滑剤を供給する潤滑剤供給手段とを備えたものであることを特徴とする。
【００１４】
ここで、上記クリーニング機構が、寿命枚数により定期的に交換される脱着可能な中間転写ロールユニットに備えられたものであってもよい。
【００１５】
このようにすると、クリーニング機構のメンテナンスについての手間が軽減され便利である。
【発明の効果】
【００１６】
本発明によれば、像担持体に与えるダメージの低減を図ることができる、ブラシを用いたクリーニング機構、および、このクリーニング機構を備えた画像形成装置を提供することができる。
【発明を実施するための最良の形態】
【００１７】
以下、本発明の実施形態について説明する。
【００１８】
図１は、本発明の第１および第２のクリーニング機構の共通の一実施形態を備えた、本発明の第１および第２の画像形成装置の共通の一実施形態の概略構成図である。
【００１９】
図１に示すプリンタ１は、画像形成部１１と、レーザユニット部１２と、トナーカートリッジ部１３と、給紙トレイ部１４と、定着部１５と、搬送ロール１６と、排出ロール１７とで構成された、イエロー（Ｙ）、マゼンタ（Ｍ）、ブラック（Ｋ）、シアン（Ｃ）の各色毎に感光体を備え、これら感光体表面に作成した各色トナー像を中間転写ロールに転写したのちに記録用紙に最終的に転写および定着を行うことで記録用紙上にカラー画像の形成を行なうフルカラープリンタである。
【００２０】
画像形成部１１は、上下４段に配置された現像器１１１Ｙ、１１１Ｍ、１１１Ｋ、１１１Ｃ、感光体ロール１１２Ｙ、１１２Ｍ、１１２Ｋ、１１２Ｃ、第１中間転写ロール１１３、第２中間転写ロール１１４、第３中間転写ロール１１５、および三次転写ロール１１６で構成されている。尚、現像器１１１Ｙ、１１１Ｍ、１１１Ｋ、１１１Ｃ、レーザユニット部１２、トナーカートリッジ部１３、給紙トレイ部１４、定着部１５、搬送ロール１６、および排出ロール１７については、本発明とは無関係であるので説明は省略する。
【００２１】
図２は、図１に示す画像形成部の拡大図である。
【００２２】
図２には、画像形成部１１の構成要素が示されており、ここには、図１に示す構成要素に加え、矢印Ｂ方向に回転する感光体１１２Ｙ、１１２Ｍ、１１２Ｋ、１１２Ｃに所定の電荷を与える、矢印Ｇ方向に回転する帯電器１１７Ｙ、１１７Ｍ、１１７Ｋ、１１７Ｃと、図１に示す現像器１１１Ｙ、１１１Ｍ、１１１Ｋ、１１１Ｃ内に備えられ矢印Ａ方向に回転する、トナーを担持するマグロール１１１１Ｙ、１１１１Ｍ、１１１１Ｋ、１１１１Ｃと、矢印Ｃ方向に回転する、第１中間転写ロール１１３および第２中間転写ロール１１４と、矢印Ｅ方向に回転する第３中間転写ロール１１５と、これら３つの中間転写ロールそれぞれに接離自在に配備されたブラシクリーナ１１３ａ、１１４ａ、１１５ａと、矢印Ｆ方向に回転する三次転写ロール１１６が示されている。
【００２３】
ここで、プリンタ１における画像の形成の流れについて説明する。
【００２４】
まず、帯電器１１７Ｙ、１１７Ｍ、１１７Ｋ、１１７Ｃによって所定の電荷が与えられた各感光体には、図１に示すレーザユニット部１２からの光照射により静電潜像がそれぞれ形成される。その後、Ｙ色用およびＭ色用の静電潜像は、マグロール１１１１Ｙ、１１１１Ｍによりそれぞれがトナー現像されて、第１中間転写ロール１１３にはＹ色およびＭ色のトナー像がそれぞれ一次転写されることで重ねられる。同様に、第２中間転写ロール１１４にはＫ色およびＣ色のトナー像がそれぞれ一次転写されることで重ねられる。その後、第１中間転写ロール１１３において重ねられたトナー像と第２中間転写ロール１１４において重ねられたトナー像とが第３中間転写ロール１１５にそれぞれ二次転写されることでフルカラーの積層トナー像が第３中間転写ロール１１５上に形成される。このフルカラーの積層トナー像は、三次転写ロール１１６によって記録用紙２００に三次転写される。
【００２５】
また、図２には、毛部を有し、毛部先端１１３１ａ、１１４１ａ、１１５１ａが、トナー像を用紙２００に転写した後のこれら第１中間転写ロール１１３、第２中間転写ロール１１４、および第３中間転写ロール１１５それぞれの表面に対して接離自在なものであって、これら中間転写ロール１１３、１１４、１１５それぞれの表面に残留した残留トナーを、これらの表面に毛部先端１１３１ａ、１１４１ａ、１１５１ａを接触させて中間転写ロール１１３、１１４、１１５とバイアス電圧をかけながら連れ回ることでこれら表面から除去する交換自在のブラシクリーナ１１３ａ、１１４ａ、１１５ａが備えられている様子が示されている。
【００２６】
図３は、図２に示す画像形成部の詳細構成図である。
【００２７】
図２に示す画像形成部１１には、図３に示す、ブラシクリーナ１１３ａ、１１４ａ、１１５ａに対向して配備された、馴らしロール２１３ａ、２１４ａ、２１５ａを有するトナーシンク２１３、２１４、２１５が備えられている。このトナーシンク２１３、２１４、２１５には、ブラシクリーナ１１３ａ、１１４ａ、１１５ａに塗すためのトナーＰが溜められている。画像形成部１１のうち、図３に示すこれら部材はこのプリンタ１に対して一体的に着脱できるようにカートリッジ化されており、プリント枚数が所定数に達するとこのカートリッジ１１０ごと交換される。
【００２８】
ここで、これらブラシクリーナ１１３ａ、１１４ａ、１１５ａは、前述したように、これら中間転写ロール１１３、１１４、１１５に対して接離自在になっており、毛部先端１１３１ａ、１１４１ａ、１１５１ａを中間転写ロール１１３、１１４、１１５の表面に接触させ中間転写ロール１１３、１１４、１１５とバイアス電圧をかけながら連れ回ることで残留トナーの除去を行っている様子が図３（ａ）に示され、中間転写ロールから離れたブラシクリーナ１１３ａ、１１４ａ、１１５ａが馴らしロール２１３ａ、２１４ａ、２１５ａに接触している様子が図３（ｂ）に示されている。
【００２９】
尚、以下では、各中間転写ロールと、各中間転写ロールに対応して配備されたブラシクリーナおよび馴らしロールとの関係はそれぞれ同じであるので、以下では、第１中間転写ロール１１３について配備されたブラシクリーナ１１３ａおよび馴らしロール２１３ａを代表的に取りあげて説明する。
【００３０】
図４は、第１中間転写ロールについて配備されたブラシロールおよび馴らしロールの関係を示す図である。
【００３１】
図４（ａ）には、図３（ａ）に示す第１中間転写ロール１１３について配備されたブラシクリーナ１１３ａの通常状態の、上方からの外観斜視図が示されており、図４（ｂ）には、図３（ｂ）に示す第１中間転写ロール１１３について配備されたブラシクリーナ１１３ａの毛部先端１１３１ａの剛性を馴らしロール２１３ａに押し付けることで弱める馴らし処理、および、馴らしロール２１３ａ介してブラシクリーナ１１３ａにトナーＰを塗す潤滑剤供給処理を施している状態の、上方からの外観斜視図が示されている。
【００３２】
図４には、ブラシクリーナ１１３ａを回転自在に軸支する中心軸１１３２ａと、馴らしロール２１３ａを回転自在に軸支する中心軸２１３２ａとに両端が取り付けられていると共に、これらの間でこれらロール同士を引きつける向きに付勢するバネ２２０が取り付けられ、ブラシクリーナ１１３ａの、第１中間転写ロール１１３への接離は、プランジャ２３０のシリンダ２３１の出没によって制御されている様子が示されている。
【００３３】
また、図４（ａ）には、このプランジャ２３０に通電がなされたことにより、プランジャ２３０に備えられたシリンダ２３１が突出し、これにより、中心軸同士を引きつけ合う向きの、バネ２２０の付勢に抗して、ブラシクリーナ１１３ａが第１中間転写ロール１１３に接触している様子が示されている。
【００３４】
一方、図４（ｂ）には、プランジャ２３０への通電を停止することでシリンダ２３１の突出を維持できない状態となり、シリンダ２３１がバネ２２０の付勢によって引っ込むことで、ブラシクリーナ１１３ａが馴らしロール２１３ａに接触している様子が示されている。
【００３５】
図４に示す、馴らしロール２１３ａおよびブラシクリーナ１１３ａの端部には、それぞれ馴らしロールギア２１３３ａおよびブラシクリーナギア１１３３ａが固定されており、馴らしロールギア２１３３ａには、モータ３０３の軸３０３１に軸着されたピニオンギア３０３２が噛合されている。
【００３６】
このプリンタ１では、図４（ａ）に示す状態、即ち画像の形成時には、馴らしロールギア２１３３ａにはモータ３０３からの回転駆動は行われず、ブラシクリーナ１１３ａは、プランジャ２３０のシリンダ２３１の突出によって中心軸１１３２ａが第１中間転写ロール側に押されて第１中間転写ロール１１３に押し当てられて第１中間転写ロール１１３と連れ回るようになっている。
【００３７】
一方、図４（ｂ）に示す状態、即ち図３に示すカートリッジ１１０の交換直後等、ブラシクリーナ１１３ａが新品であるときは、このブラシクリーナ１１３ａは、第１中間転写ロール１１３から離れて馴らしロール２１３ａに接触する。このとき、馴らしロールギア２１３３ａとブラシクリーナギア１１３３ａは噛合し、さらに、馴らしロールギア２１３３ａには、噛合しているピニオンギア３０３２を介してモータ３０３からの回転駆動力が伝達される。したがって、交換直後等のブラシクリーナ１１３ａの毛部先端１１３１ａは、バネ２２０の付勢力によって馴らしロール２１３ａに回転しながら押し付けられる。これにより、毛部先端１１３１ａの剛性を弱めることができる。
【００３８】
また、このとき、トナーＰが溜められているトナーシンク２１５（図３参照）の内部を回転する馴らしロール２１３ａにはトナーＰが塗されており、馴らしロール２１３ａに押し付けられたブラシクリーナ１１３ａにはトナーＰが付着する。これにより、ブラシクリーナ１１３ａと第１中間転ロール１１３の間に滑り効果を発生させることができる。
【００３９】
したがって、このプリンタ１によれば、第１中間転写ロールに与えるダメージを低減し、画像品質の向上を図ることができる。尚、図４には、モータ３０３、プランジャ２３０，第１中間転写ロール１１３に回転駆動力を与える第１中間転写ロールモータ３０２、モータ３０３と第１中間転写ロールモータ３０２それぞれの回転量に応じたカウント値が記録されるメモリ３０１、および、このプリンタ１を制御するＣＰＵ３００が示されている。
【００４０】
以下、プリンタ１における動作の流れを説明する。
【００４１】
図５は、本実施形態のプリンタの電源投入と共に起動されるルーチンのフローチャートである。
【００４２】
図５に示すステップＳ１では、画像の形成を禁止する指示の解除を指示し、ステップＳ２では、第１中間転写ロール１１３の回転をカウントする第１中間転写ロールモータ回転量に応じたカウント値がゼロか否かを判定する。ステップＳ２において、カウント値がゼロであると判定すると、ブラシクリーナ１１３ａが新品であるとしてステップＳ３に進む。ステップＳ３では、ブラシクリーナ１１３ａの、第１中間転写ロール１１３に対向して配備されているトナーシンク側への退避指示を出す。ステップＳ４では、馴らしロールギア２１３３ａにピニオンギア３０３２を介して回転駆動力を伝達するモータ３０３に回転駆動指示を出す。これにより、ブラシクリーナ１１３ａは、トナーシンク２１５内で馴らしロール２１３ａに押し付けられながら回転することで、毛部先端１１３１ａの剛性が弱められるとともにトナーＰが塗される。
【００４３】
ステップＳ５では、毛部先端１１３１ａの剛性が弱められると共にトナーが塗された時間を、モータ３０３の回転量を基にカウント値が加算され、ステップＳ６では、このカウント値が‘１０’となったか否かを判定する。ステップＳ６において、カウント値が‘１０’ではないと判定すると、ステップＳ４に戻り、ステップＳ６において、カウント値が‘１０’であると判定すると、ステップＳ７に進み、馴らしロールギア２１３３ａに回転駆動力を伝達しているモータ３０３に駆動停止を指示する。ステップＳ８では、プランジャ２３０への通電を指示することにより、ブラシクリーナ１１３ａを馴らしロール２１３ａから離隔させることで通常の位置に復帰させる。その後、ステップＳ２に戻る。
【００４４】
一方、ステップＳ２において、第１中間転写ロールモータ回転量に応じたカウント値がゼロではないと判定すると、ステップＳ９に進み、このカウント値が閾値Ｍ未満であるか否かを判定する。ステップＳ９において、閾値Ｍ未満であると判定すると、ステップＳ２に戻り、このカウント値が閾値Ｍ以上であると判定すると、ステップＳ１０に進み、第１中間転写ロールモータ回転カウント値をゼロリセットする。その後、ステップＳ１１では、第１中間転写ロール１１３に対向して配備されているブラシクリーナ１１３ａの交換を指示する。その後、ステップＳ１２では、画像の形成の禁止を指示し、その後、このルーチンを終了する。
【００４５】
尚、以上の実施形態では、第１中間転写ロール１１３に対向して配備されたブラシクリーナ１１３ａの例を挙げて説明したが、本発明は像担持体であればこれに限るものではなく、第１中間転写ロール１１３の代わりに感光体ロールに接触するブラシクリーナを例に挙げてもよい。また、上記実施形態では、ブラシクリーナ１１３ａが新品であるか否かを、第１中間転写ロールモータの回転量に応じたカウント値に基づいて判定する例を挙げて説明しているが、本発明はこれに限るものではない。
【００４６】
また、以上の実施形態では、毛部先端１１３１ａの剛性が弱められるとともにトナーＰが塗される場合を例に挙げたが、これらのうちの一方のみが行われるものであってもよく、さらには、毛部先端１１３１ａの剛性を弱める手段、およびブラシクリーナ１１３ａに潤滑剤を供給する手段が以上に説明した手段に限るものでもない。また、以上に説明した実施形態では、ブラシクリーナの毛部先端の剛性を弱めトナー塗すための機構が、中間転写ロールユニットに備えられている場合を説明したが、これが、中間転写ユニットに備えられていなくてもよい。
【図面の簡単な説明】
【００４７】
【図１】本発明のクリーニング機構の一実施形態を備えた、本発明の画像形成装置の一実施形態の概略構成図である。
【図２】図１に示す画像形成部の拡大図である。
【図３】図２に示す画像形成部の詳細構成図である。
【図４】第１中間転写ロールについて配備されたブラシロールおよび馴らしロールの関係を示す図である。
【図５】本実施形態のプリンタにおいて起動されるルーチンのフローチャートである。
【符号の説明】
【００４８】
１１  画像形成部
１１０  カートリッジ
１１１Ｙ、１１１Ｍ、１１１Ｋ、１１１Ｃ  現像器
１１１１Ｙ、１１１１Ｍ、１１１１Ｋ、１１１１Ｃ  マグロール
１１２Ｙ、１１２Ｍ、１１２Ｋ、１１２Ｃ  感光体ロール
１１３  第１中間転写ロール
１１３ａ、１１４ａ、１１５ａ  ブラシクリーナ
１１３１ａ、１１４１ａ、１１５１ａ  毛部先端
１１３２ａ、２１３２ａ  中心軸
１１４  第２中間転写ロール
１１５  第３中間転写ロール
１１６  三次転写ロール
１１７Ｙ、１１７Ｍ、１１７Ｋ、１１７Ｃ  帯電器
２１３、２１４、２１５  トナーシンク
２１３ａ、２１４ａ、２１５ａ  馴らしロール
２２０  バネ
２３０  プランジャ
２３１  シリンダ
３０３  モータ
３０３１  軸
３０３２  ピニオンギア
【図１】
2006154323.tif 000003
【図２】
2006154323.tif 000004
【図３】
2006154323.tif 000005
【図４】
2006154323.tif 000006
【図５】
2006154323.tif 000007